(57)【要約】      （修正有）【課題】プラスチックス製の型枠を一部に組み込んだ場合等においても、寸法誤差を生じることなく型枠全体の組み立てが行える面取り用コーナー型枠を提供する。【解決手段】互いに直交するように配置される一対の型枠間に用いられる面取り用コーナー型枠であり、面取り成型面１３と連結される一方の型枠１２の内面に連続する第１成型面１５とを備える第１型枠部材３と、他方の型枠１４の内面に連続する第２成型面１７を備え第１型枠部材３と分離可能に連結固定される第２型枠部材５とからなり、第１型枠部材３の一方の型枠１２に連結される側と逆側に位置する端面と第２型枠部材５の第２成型面１７とが、第２成型面１７を所望の使用巾として当接されて使用される。【選択図】図１
0003163361.tif 000002
【実用新案登録請求の範囲】
【請求項１】
互いに直交するように配置される一対の型枠間に用いられる面取り用コーナー型枠であり、
面取り成型面と連結される前記一対の型枠の一方の型枠の内面に連続する第１成型面とを備える第１型枠部材と、前記一対の型枠の他方の型枠の内面に連続する第２成型面を備え前記第１型枠部材と分離可能に連結固定される第２型枠部材とからなり、
前記第１型枠部材の前記一方の型枠に連結される側と逆側に位置する端面と前記第２型枠部材の第２成型面とが、前記第２成型面を所望の使用巾として当接されて使用されることを特徴とする面取り用コーナー型枠。
【考案の詳細な説明】
【技術分野】
【０００１】  この考案は、コンクリート建造物を建造する際に使用する面取り用コーナー型枠に関する。
【背景技術】
【０００２】  コンクリート建造物の場合、接触した際に危険である、破損しやすい、意匠的に優れない等の理由で、直角の角部をなくす面取り構造が採用される。この面取り構造は、例えば、型枠の組み立ての際それぞれのコーナー部に面取り用コーナー型枠が組み込まれることで得られる。一方、最近では、型枠としてプラスチックス製のものが提供され、そのプラスチックス製の型枠が一部に組み込まれることで型枠全体の組み立てがなされる場合が多い。プラスチック製の型枠は製造が容易で、さらに、安価、軽量であるという利点があるが、温度変化により伸縮し、夏期と冬季ではその寸法に若干変化が生じる。したがって、プラスチックス製の型枠を一部に組み込んだ場合、型枠全体の組み立て形態において寸法誤差が生じる場合がある。
【考案の概要】
【考案が解決しようとする課題】
【０００３】  この考案は上記の点に鑑みて行ったもので、プラスチックス製の型枠を一部に組み込んだ場合等においても、寸法誤差を生じることなく型枠全体の組み立てが行えるようにすることを目的とする。
【課題を解決するための手段】
【０００４】  この考案では、互いに直交するように配置される一対の型枠間に用いられる面取り用コーナー型枠であり、面取り成型面と連結される前記一対の型枠の一方の型枠の内面に連続する第１成型面とを備える第１型枠部材と、前記一対の型枠の他方の型枠の内面に連続する第２成型面を備え前記第１型枠部材と分離可能に連結固定される第２型枠部材とからなり、前記第１型枠部材の前記一方の型枠に連結される側と逆側に位置する端面と前記第２型枠部材の第２成型面とが、前記第２成型面を所望の使用巾として当接されて使用されることを特徴とする面取り用コーナー型枠を提供する。【０００５】  上記構成によれば、面取り成型面と第１成型面とを備える第１型枠部材と第２成型面を備える第２型枠部材とが分離可能に連結固定される構成で、第２成型面を所望の使用巾とできるので、その使用巾をプラスチックス製の型枠を使用する場合等において生じる寸法誤差に対応するように設定することで寸法誤差を生じることなく型枠全体の組み立てが行える。
【考案の効果】
【０００６】  この考案の面取り用コーナー型枠を使用することで、プラスチックス製の型枠を一部に組み込んだ場合等においても、寸法誤差を生じることなく型枠全体の組み立てが行えるようになる。
【図面の簡単な説明】
【０００７】
【図１】  この考案の面取り用コーナー型枠の斜視図
【図２】  この考案の面取り用コーナー型枠の第１型枠部材の側面図
【図３】  この考案の面取り用コーナー型枠の第２型枠部材の背面図
【図４】  この考案の面取り用コーナー型枠の組み立て固定説明斜視図
【図５】  この考案の面取り用コーナー型枠の組み立て固定説明斜視図
【図６】  この考案の面取り用コーナー型枠の組立説明平面図
【図７】  この考案の面取り用コーナー型枠を使用して組み立てた全体型枠平面構成図
【考案を実施するための形態】
【０００８】  図１はこの考案の面取り用コーナー型枠を示す。面取り用コーナー型枠１は分離可能な第１型枠部材３と第２型枠部材５とからなり、ともに所定の形態に組まれた鉄製枠体７、９の表面にステンレス製の面板１０、１１が貼り付けられて構成されている。第１型枠部材３の面板１０は途中に折れ曲がり部１２を備え、その内面が面取り成型面１３と連結される型枠１２の内面に連続する第１成型面１５とを形成する。第２型枠部材３の面板１１はその内面が連結される型枠１４の内面に連続する第２成型面１７を形成する。
【０００９】  図２、図３は第１型枠部材３、第２型枠部材５それぞれを図１において矢印Ａの方向において見た図であり、第１型枠部材３、第２型枠部材５には、鉄製枠体７、９の使用時に互いに当接する部位のそれぞれの互いに相対位置に、固定穴１４と長穴固定穴１８とが、さらに固定用切り欠き１９、２０のそれぞれが設けられている。
【００１０】  図４、図５により面取り用コーナー型枠１の組み立て固定を説明する。型枠１２、型枠１４、さらにはそれらにさらに型枠が連結された状態において第１型枠部材３と第２型枠部材５との固定がなされる。第１型枠部材３の型枠１２の連結される側と逆側に位置する鉄製枠体７面（端面）１６と第２型枠部材５の第２成型面１７とが当接され、それぞれの固定穴１４と長穴固定穴１８との部分それぞれにおいて固定具２５それぞれによる締め付け固定がなされることにより、第１型枠部材３と第２型枠部材５との固定がなされ、このように固定が角部それぞれで行われることで全体型枠が組み立てられる（図７参照）。
【００１１】  上記の第１型枠部材３と第２型枠部材５との固定は、図６に示すように、第２成型面１７の使用巾が所望の巾となるように行われる。
【００１２】  例えば、第２型枠部材５側に連結される型枠の中にプラスチックス製のものがあり冬季でそれが縮み寸法が小さくなっている場合は、その分を長くすべく第１型枠部材３が第２型枠部材５の端面より外方へ突出する位置（一点鎖線位置  第２成型面１７の使用巾Ｗ１）において固定され、逆に夏季でそれが伸びて寸法が大きくなっている場合は、その分を短くすべく第１型枠部材３が第２型枠部材５の端面より内方へ凹む位置（点線位置第２成型面１７の使用巾Ｗ２）において固定される。上記の巾を調整可能とする固定は、第２型枠部材５が長穴固定穴１８を備えることで可能となる。
【００１３】  ３０、３１は全体型枠の外周を固定する固定材で、固定ボルト３３により連結固定される。上記のように第１型枠部材３と第２型枠部材５とは位置調整されて固定されるが、固定用切り欠き１９、２０が深く形成されていることで固定ボルト３３による固定が支障なく行われる。
【００１４】  図７は上記面取り用コーナー型枠１を４つのコーナーに用いて組まれた全体枠体５０の平面構成を示す。型枠５１、５１のそれぞれがプラスチックス製であって伸縮する場合は、面取り用コーナー型枠１ａ、１ｃが上記のように寸法調整されて固定されることで、全体枠体５０における寸法Ｘが精度良く所定の寸法とでき、型枠５３、５３のそれぞれがプラスチックス製であって伸縮する場合は、面取り用コーナー型枠１ｂ、１ｄが上記のように寸法調整されて固定されることで、全体枠体５０における寸法Ｙが精度良く所定の寸法とできる。
【符号の説明】
【００１５】１    面取り用コーナー型枠
３    第１型枠部材
５    第２型枠部材
１３  面取り成型面
１５  第１成型面
１６  鉄製枠体面（端面）
１７  第２成型面
【図１】
0003163361.tif 000003
【図２】
0003163361.tif 000004
【図３】
0003163361.tif 000005
【図４】
0003163361.tif 000006
【図５】
0003163361.tif 000007
【図６】
0003163361.tif 000008
【図７】
0003163361.tif 000009